(57)【要約】【課題】周囲の照度に応じて、その周囲の照度の調整を行うことができ、視聴時に目の疲労を低減することができる映像表示装置を提供する。【解決手段】映像表示装置のテレビジョン装置１は、本体１１に設けられ、表示部１３とは反対側の後方であって、本体１１の上下左右方向の少なくとも一方向の照度を計測する１以上の光センサ１７ａ〜１７ｄと、本体１１に設けられ、表示部１３とは反対側の後方であって、本体１１の上下左右方向の少なくとも一方向に向かって光を照射する１以上の発光部１８ａ〜１８ｄとを有する。また、テレビジョン装置１は、光センサ１７ａ〜１７ｄより計測された照度に基づいて、発光部１８ａ〜１８ｄから照射される光の量を制御する制御部２１を有する。【選択図】図１C
2010177179.tif 000002
【特許請求の範囲】
【請求項１】
映像を表示する表示部を備えた本体を有する映像表示装置であって、
前記本体に設けられ、前記表示部とは反対側の後方であって、前記本体の上下左右方向の少なくとも一方向の照度を計測する１以上の光センサと、
前記本体に設けられ、前記表示部とは反対側の前記後方であって、前記少なくとも一方向に向かって光を照射する１以上の発光部と、
前記光センサより計測された照度に基づいて、前記発光部から照射される光の量を制御する制御部と、
を有することを特徴とする映像表示装置。
【請求項２】
前記表示部に表示される前記映像の最高輝度を検出する輝度検出部と、
前記輝度検出部で検出された最高輝度と前記少なくとも一方向の照度との差分を算出する差分回路と、を有し、
前記制御部は、前記差分回路において算出された差分に基づいて、前記表示部の前記最高輝度と前記計測された照度との差が所定の値あるいは所定の範囲となるように、前記発光部から照射される光の量を制御することを特徴とする請求項１に記載の映像表示装置。
【請求項３】
前記発光部は、複数のLEDを有するLEDアレイであって、
前記制御部は、前記光センサにより計測された照度に基づいて、前記少なくとも一方向の照度が均一になるように、前記複数のLEDのそれぞれから照射される光の量を制御することを特徴とする請求項１又は２に記載の映像表示装置。
【請求項４】
操作が行われた際に操作情報を前記本体に送信する送信部と、前記少なくとも一方向の照度を計測する光センサとを備えたリモートコントローラを有し、
前記光センサは、前記操作が行われた際に前記少なくとも一方向の照度を計測し、
前記送信部は、前記操作情報と共に、前記光センサで計測された照度を前記本体に送信することを特徴とする請求項１から３の何れか１項に記載の映像表示装置。
【請求項５】
前記発光部から照射される光の量を手動で調整できる照度調整部を備えたことを特徴とする請求項１から４の何れか１項に記載の映像表示装置。
【発明の詳細な説明】
【技術分野】
【０００１】
本発明は、映像表示装置に関し、特に、本体の周辺に光を照射する発光部を備える映像表示装置に関する。
【背景技術】
【０００２】
従来、映像表示装置のテレビジョン装置による長時間のテレビ視聴が、例えば、視聴者の視力低下等、目の健康に悪い影響を与えることが知られている。また、画面の輝度と周囲の照度との差が大きいと、目の健康に悪い影響を与えることが知られている。
【０００３】
そこで、部屋の明るさに応じて画面上の輝度を増減するテレビジョン装置が開発されている（例えば、非特許文献１参照）。このテレビジョン装置は、部屋が暗い場合、画面の輝度を低くし、部屋が明るい場合、画面の輝度を高くする。このように、部屋の明るさに応じて、画面の輝度を制御し、画面の輝度と周囲の照度との差を減少させるようにし、目の健康に悪い影響を与えることを防いでいる。
【０００４】
しかし、このテレビジョン装置は、周囲の照度に応じて画面の輝度を変更することはできても、その周囲の照度を変更することはできなかった。
【０００５】
また、臨場感を高めるために、テレビジョン装置の周囲に照明器具を配置し、テレビジョン装置の周囲の照度を制御する照明調整方法が提案されている（例えば、特許文献１参照）。しかし、この照明調整方法は、臨場感を高めるためにテレビジョン装置の周囲の照度を変更する方法であり、目の健康のために画面の輝度と周囲の照度との差を減少させるというものはない。
【０００６】
そのため、画面の輝度とその周囲の照度との差が大きくなると目に負担がかかり、目の健康に悪影響を与えてしまうという問題があった。
【先行技術文献】
【特許文献】
【０００７】
【特許文献１】特開２００６−１９０９５号公報
【非特許文献】
【０００８】
【非特許文献１】三菱電機株式会社、液晶テレビ「REAL」、「明るさセンサー」＜URL：http://www.mitsubishielectric.co.jp/home/ctv/special/magazine/01/vol2.html＞
【発明の概要】
【発明が解決しようとする課題】
【０００９】
本発明は、周囲の照度に応じて、その周囲の照度の調整を行うことができ、視聴時に目の疲労を低減することができる映像表示装置を提供することを目的とする。
【課題を解決するための手段】
【００１０】
本発明の一態様によれば、映像を表示する表示部を備えた本体を有する映像表示装置であって、前記本体に設けられ、前記表示部とは反対側の後方であって、前記本体の上下左右方向の少なくとも一方向の照度を計測する１以上の光センサと、前記本体に設けられ、前記表示部とは反対側の前記後方であって、前記少なくとも一方向に向かって光を照射する１以上の発光部と、前記光センサより計測された照度に基づいて、前記発光部から照射される光の量を制御する制御部と、を有することを特徴とする映像表示装置を提供することができる。
【発明の効果】
【００１１】
本発明の映像表示装置によれば、周囲の照度に応じて、その周囲の照度の調整を行うことができ、視聴時に目の疲労を低減することができる。
【図面の簡単な説明】
【００１２】
【図１Ａ】第１の実施の形態に係る映像表示装置の特にテレビジョン装置を説明するための図であり、第１の実施の形態に係るテレビジョン装置の正面側の斜め方向から見た図である。
【図１Ｂ】第１の実施の形態に係るテレビジョン装置の側面図である。
【図１Ｃ】第１の実施の形態に係るテレビジョン装置の背面側の斜め方向から見た図である。
【図２】発光部のオン、オフの制御の例を説明するための説明図である。
【図３】最高輝度と照度との差が所定の範囲内となるように制御する処理の流れの例を示すフローチャートである。
【図４Ａ】第２の実施の形態に係る映像表示装置の特にテレビジョン装置を説明するための図であり、第２の実施の形態に係るテレビジョン装置の正面側の斜め方向から見た図である。
【図４Ｂ】第２の実施の形態に係るテレビジョン装置の側面図である。
【図４Ｃ】第２の実施の形態に係るテレビジョン装置の背面側の斜め方向から見た図である。
【図５】テレビジョン装置に適用されるリモコンの構成を説明するための説明図である。
【発明を実施するための形態】
【００１３】
以下、図面を参照して本発明の実施の形態について詳細に説明する。
【００１４】
（第１の実施の形態）
まず、図１A、図１B及び図１Cに基づき、第１の実施の形態に係る映像表示装置の構成について説明する。図１Aは、第１の実施の形態に係る映像表示装置の特にテレビジョン装置を説明するための図であり、第１の実施の形態に係るテレビジョン装置の正面側の斜め方向から見た図であり、図１Bは、第１の実施の形態に係るテレビジョン装置の側面図であり、図１Cは、第１の実施の形態に係るテレビジョン装置の背面側の斜め方向から見た図である。
【００１５】
図１A〜図１Cに示すように、テレビジョン装置１は、本体１１と、本体１１を支持する支持台１２とを有して構成されている。本体１１の正面には、映像を表示する表示部１３と、リモートコントローラ（以下、リモコンという）からの信号を受信するリモコン信号受信部１４とを有して構成されている。テレビジョン装置１は、図示を省略しているが、放送信号を受信する受信部、及び、放送信号に所定の映像処理を施し映像信号を得る映像処理部等を有し、映像信号に基づく映像を表示部１３に表示する。なお、本実施の形態では、テレビジョン装置１は、専用装置として説明するが、例えば、パーソナルコンピュータ等で使用されるディスプレイあるいはモニタ等であってもよい。
【００１６】
また、本体１１の上面には、テレビジョン装置１を操作するための操作ボタン１５が配置されている。この操作ボタン１５は、電源ボタン１５ａ、チャンネルアップボタン１５ｂ、チャンネルダウンボタン１５ｃ、音量アップボタン１５ｄ、音量ダウンボタン１５ｅ、及び、モード切換ボタン１５ｆの各種ボタンにより構成されている。このモード切換ボタン１５ｆは、後述する発光部を用いた照度の調節を行うか否かを切り換えるためのボタンである。
【００１７】
さらに、本体１１の側面には、後述する発光部からの照度を調節する照度調節ボタン１６が配置されている。この照度調節ボタン１６は、照度アップ１６ａ、及び、照度ダウン１６ｂの各種ボタンにより構成されている。なお、この照度調節ボタン１６は、本体１１の側面に配置されているが、本体１１の上面に配置されていてもよい。この照度調節ボタン１６は、後述する発光部からの光を手動で操作するためのボタンである。例えば、後述する自動で調整した光に不具合があった場合でも、発光部からの光の量を調整することができる。また、照度調節ボタン１６により手動で光の量を調整し、部屋の電灯の代わりに発光部からの光を使用することもできる。
【００１８】
また、本体１１には、本体１１の周囲、例えば、本体１１の後方の部屋の壁の照度を計測する４つの光センサ１７ａ、１７ｂ、１７ｃ及び１７ｄが配置されている。即ち、光センサ１７ａ〜１７ｄは、テレビジョン映像を表示する表示部１３の反対側の後方であり、本体１１の上下左右方向の照度を計測する。なお、図１Cでは、光センサ１７ａ〜１７ｄは、本体背面の４つの角に配置されているが、本体１１の後方の上下左右方向の照度を計測できれば、本体１１上のどのような位置に配置してもよい。
【００１９】
光センサ１７ａは、視聴者からみて本体１１の背面の左上に配置され、表示部１３とは反対側であり、本体１１の後方の左方向及び上方向の２つの方向の照度のそれぞれを計測する。同様に、光センサ１７ｂは、視聴者からみて本体１１の背面の右上に配置され、本体１１の後方の右方向及び上方向の２つの方向の照度のそれぞれを計測する。
【００２０】
また、光センサ１７ｃは、視聴者からみて本体１１の背面の右下に配置され、本体１１の後方の右方向及び下方向の２つの方向の照度のそれぞれを計測する。同様に、光センサ１７ｄは、視聴者からみて本体１１の背面の左下に配置され、本体１１の後方の左方向及び下方向の２つの方向の照度のそれぞれを計測する。ここでは、光センサ１７ａ及び１７ｂにより上方向の照度が計測され、光センサ１７ｂ及び１７ｃにより右方向の照度が計測され、光センサ１７ｃ及び１７ｄにより下方向の照度が計測され、光センサ１７ｄ及び１７ａにより左方向の照度が計測される。このように、２つの光センサの出力により１つの方向の照度が演算により決定される。
【００２１】
また、本体１１には、光センサ１７ａ〜１７ｄにより計測された本体１１の周囲の照度に基づいて決定された明るさで、本体１１の後方の周囲を照明するための発光部１８ａ、１８ｂ、１８ｃ及び１８ｄが配置されている。なお、この発光部１８ａから１８ｄのそれぞれは、電球またはLED（Light Emitting Diode）等の光源により構成されている。
【００２２】
発光部１８ａは、本体１１の後方の上方向を発光させるように、本体１１の背面の上端の略中央に配置されている。また、発光部１８ｂ及び１８ｃは、視聴者からみて本体１１の後方の右方向及び左方向を発光させるように、それぞれ本体１１の背面の右端の略中央及び本体１１の背面の左端の略中央に配置されている。また、発光部１８ｄは、本体１１の後方の下方向を発光させるように、本体１１の背面の下端の略中央に配置されている。
【００２３】
ここで、本体１１の内部の構成について説明する。図１Cに示すように、本体１１の内部は、制御部２１を有して構成されている。
【００２４】
制御部２１には、光センサ１７ａ〜１７ｄのそれぞれにより、計測された上下左右方向のそれぞれの照度信号あるいは照度データが入力される。なお、図１Cでは、説明を簡単にするために、光センサ１７ｃからのみ制御部２１に計測された照度が入力されるように示している。制御部２１は、入力されたそれぞれの照度が予め決められた閾値より低いか否かを検出して、発光部１８ａ〜１８ｄのオン又はオフを制御する。即ち、制御部２１は、上下左右方向それぞれの照度が閾値より低くなった場合、例えば、部屋の電灯が消灯された場合、全ての発光部１８ａ〜１８ｄをオンにし、上下左右方向のそれぞれの照度が閾値より高くなった場合、例えば、部屋の電灯が点灯された場合、全ての発光部１８ａ〜１８ｄをオフにする。
【００２５】
なお、制御部２１は、上述したように発光部１８ａ〜１８ｄのオン又はオフを一括に制御するようにしてもよいし、本体１１の後方の周囲の一部が明るい場合には、発光部１８ａ〜１８ｄのオン又はオフを個別に制御するようにしてもよい。例えば、制御部２１は、光センサ１７ａ及び１７ｂからの上方向の照度に基づいて、発光部１８ａのオン又はオフを制御する。同様に、制御部２１は、光センサ１７ｂ及び１７ｃからの右方向の照度に基づき発光部１８ｂのオン又はオフを制御し、光センサ１７ｃ及び１７ｄからの下方向の照度に基づき発光部１８ｃのオン又はオフを制御し、光センサ１７ｄ及び１７ａからの左方向の照度に基づき発光部１８ｄのオン又はオフを制御する。
【００２６】
図２は、発光部のオン、オフの制御の例を説明するための説明図である。図２において、縦軸は光センサ１７ａ〜１７ｄにおいて計測されたそれぞれの照度を示し、横軸は時間を示している。図２に示すように、ある時刻ｔにおいて、光センサ１７ａ〜１７ｄのそれぞれにおいて計測された照度が閾値Vth、例えば、通常、部屋の電灯が点灯されているときの明るさを閾値として、その閾値より低くなると、全ての発光部１８ａ〜１８ｄが点灯されることになる。
【００２７】
なお、本実施の形態のテレビジョン装置１は、表示部１３の輝度と本体１１の周囲の照度とが所定の値となるように、発光部１８ａ〜１８ｄの照度を制御するようにしてもよい。この場合、さらに後述する輝度検出部及び差分回路を加えることにより、表示部１３の輝度と本体１１の周囲の照度との差が所定の範囲内となるように、発光部１８ａ〜１８ｄの照度を制御することができる。
【００２８】
この場合、図１Cに示すように、本体１１の内部は、さらに輝度検出部２２と、差分回路２３とを有して構成される。
【００２９】
輝度検出部２２は、最高輝度を検出して、検出した最高輝度を差分回路２３に出力する。ここで、最高輝度とは、ある瞬間のテレビ画面上、即ち、表示部１３上の輝度が最も高いポイントにおける輝度である。
【００３０】
差分回路２３には、光センサ１７ａ〜１７ｄのそれぞれにおいて計測された照度が入力される。なお、図１Cでは、説明を簡単にするために、光センサ１７ｂからのみ差分回路２３に計測された照度が入力されるように示している。また、上述したように、差分回路２３には、輝度検出部２２により検出された最高輝度が入力される。差分回路２３は、最高輝度と照度との差分を算出し、算出した差分を制御部２１に出力する。
【００３１】
制御部２１は、差分回路２３からの差分に基づいて、表示部１３上の最高輝度と本体１１の周囲の照度との差が所定の範囲内となるように、発光部１８ａ〜１８ｄの照度、即ち、発光部１８ａ〜１８ｄの全てから照射される光の量を制御する。なお、上述したように、制御部２１は、発光部１８ａ〜１８ｄの照度を一括に制御してもよいし、個別に制御してもよい。
【００３２】
ここで、表示部１３上の最高輝度と本体１１の周囲の照度との差が所定の範囲内となるように、発光部１８ａ〜１８ｄの照度を制御する処理について説明する。図３は、最高輝度と照度との差が所定の範囲内となるように制御する処理の流れの例を示すフローチャートである。
【００３３】
ある推奨に基づいた１つの例では、画面の最高輝度と周囲の照度との差が小さくなる、つまり、ゼロに近づくほど、目の負担がかからないと報告されている（例えば、URL：http://www.mhlw.go.jp/houdou/2002/04/h0405-4.html参照）。そこで、本フローチャートでは、最高輝度と照度との差が最高輝度の５％から−５％の範囲内となるように制御する例で説明する。
【００３４】
まず、輝度検出部２２により、表示部１３上の最高輝度が計測される（ステップＳ１）。光センサ１７ａ〜１７ｄにより、本体１１の周囲の照度がそれぞれの方向について、計測される（ステップＳ２）。このように計測された最高輝度と光センサ１７ａ〜１７ｄのそれぞれにより計測された各上下左右方向の照度との差分が差分回路２３により算出される（ステップＳ３）。
【００３５】
次に、制御部２１により、表示部１３上の最高輝度と本体１１の周囲の照度との差が最高輝度の５％以上か否かがそれぞれの方向について、判定される（ステップＳ４）。ここで、表示部１３上の最高輝度と本体１１の周囲の照度との差は、最高輝度から照度を引いた値であり、以下の説明でも同様である。５％以上の場合、YESとなり、制御部２１は、表示部１３上の最高輝度と同じになるように、光源、即ち、５％以上の差のある方向の発光部の照度を上げる（ステップＳ５）。５％以上でない場合、NOとなり、制御部２１により、表示部１３上の最高輝度と周囲の照度との差が最高輝度の−５％以下か否かがそれぞれの方向について、判定される（ステップＳ６）。−５％以下の場合、YESとなり、制御部２１は、表示部１３上の最高輝度と同じになるように、−５％以下の差のある方向の発光部の照度を下げる（ステップＳ７）。−５％以下でない場合、NOとなり、制御部２１は、光源の照度を変更しない（ステップＳ８）。
【００３６】
光源の照度の調整が行われると、制御部２１により、モードがオフか否かが判定される（ステップＳ９）。ここでは、モード切換ボタン１５ｆにより、照度の調節がオフされているか否かが判定される。モードがオフでない場合、NOとなり、ステップＳ１に戻り、上述した処理を繰り返す。モードがオフの場合、YESとなり、処理を終了する。
【００３７】
なお、最高輝度と照度との差が最高輝度の５％から−５％の範囲外となったときに、照度が最高輝度と同じになるようにするとして説明したが、その範囲外の方向の照度は、最高輝度と全く同じにしなくてもよい。さらに、最高輝度と照度との差を何％にするかを、ユーザが設定できるようにしてもよい。
【００３８】
以上のように、テレビジョン装置１は、光センサ１７ａ〜１７ｄを設けることにより、光センサ１７ａ〜１７ｄから入力された照度が、所定の方向において、予め決められた閾値より低いか否かを検出して、リアルタイムに発光部１８ａ〜１８ｄのオン、オフを制御するようにした。この結果、例えば、部屋の電灯が消され、表示部１３と本体１１の周囲との照度に差が生じた場合に、自動で発光部１８ａ〜１８ｄが発光し、目にかかる負担を軽減し、目の健康に与える悪い影響を低減することができる。
【００３９】
また、テレビジョン装置１は、表示部１３上の最高輝度と本体１１の周囲の照度との差が所定の範囲内となるように、発光部１８ａ〜１８ｄの照度を制御するようにした。この結果、表示部１３と本体１１の周囲との照度に差が適切な値となるように、発光部１８ａ〜１８ｄの照度を制御するため、目にかかる負担をより軽減し、目の健康に与える悪い影響をより低減することができる。
【００４０】
なお、上述した例では、最高輝度と照度との差が±５％の範囲内となるように制御することについて説明したが、この範囲を狭めることにより、最高輝度と照度との差が所定の値となるように制御してもよい。
【００４１】
よって、本実施の形態のテレビジョン装置１によれば、周囲の照度に応じて、その周囲の照度の調整を行うことができ、目にかかる負担を軽減し、目の健康に与える悪い影響を低減することができる。
【００４２】
（第２の実施の形態）
次に、第２の実施の形態について説明する。本実施の形態では、第１の実施の形態の発光部１８ａ〜１８ｄに代わり、それぞれ複数のLEDを有するLEDアレイを用いることにより、本体１１の周囲の照度が均一になるようにしている。図４Aは、第２の実施の形態に係る映像表示装置の特にテレビジョン装置を説明するための図であり、第２の実施の形態に係るテレビジョン装置の正面側の斜め方向から見た図であり、図４Bは、第２の実施の形態に係るテレビジョン装置の側面図であり、図４Cは、第２の実施の形態に係るテレビジョン装置の背面側の斜め方向から見た図である。なお、図４A〜図４Cにおいて、それぞれ図１A〜図１Cと同様の構成については、同一の符号を付して説明を省略する。
【００４３】
図４A〜図４Cに示すように、本実施の形態のテレビジョン装置１ａは、第１の実施の形態のテレビジョン装置１の光センサ１７ａ、１７ｂ、１７ｃ及び１７ｄに代わり、それぞれ光センサ１７ａ１、１７ｂ１、１７ｃ１及び１７ｄ１を用い、発光部１８ａ、１８ｂ、１８ｃ及び１８ｄに代わり、それぞれLEDアレイ部３１ａ、３１ｂ、３１ｃ及び３１ｄを用いて構成されている。
【００４４】
光センサ１７ａ１〜１７ｄ１は、それぞれ、対応する方向における本体１１の周囲の照度分布を検出することができる。例えば、光センサ１７ａ１及び１７ｂ１は、本体１１の周囲の上方向の照度分布を検出する。
【００４５】
LEDアレイ部３１ａは、複数のLED３２ａを有し、本体１１の後方の上方向を照明するように、本体１１の背面上部の辺に沿って配置されている。また、LEDアレイ部３１ｂ及び３１ｃは、それぞれ複数のLED３２ｂ及び３２ｃを有し、視聴者からみて本体１１の後方の右方向及び左方向を照明するように、それぞれ本体１１の背面右部の辺及び本体１１の背面左部の辺に沿って配置されている。また、LEDアレイ部３１ｄは、複数のLED３２ｄを有し、本体１１の後方の下方向を照明するように、本体１１の背面下部の辺に沿って配置されている。
【００４６】
本体１１の内部は、LEDアレイ制御部３３を有して構成されている。LEDアレイ制御部３３には、図示を省略しているが、光センサ１７ａ１〜１７ｄ１のそれぞれから、本体１１の後方の上下左右方向の周囲の照度分布が供給される。LEDアレイ制御部３３は、光センサ１７ａ１〜１７ｄ１のそれぞれから供給された照度分布に基づいて、LEDアレイ部３１ａ〜３１ｄそれぞれの制御を行う。特に、LEDアレイ制御部３３は、本体１１の周囲の照度が均一になるように、複数のLED３２ａ、３２ｂ、３２ｃ及び３２ｄの各LEDの照度を制御する。
【００４７】
例えば、光センサ１７ａ１と１７ｂ１によって計測された、視聴者からみて本体１１の後方の上方向の照度分布の情報がLEDアレイ制御部３３に供給される。この結果、上方向の照度分布が一様でない場合、例えば、視聴者からみて本体１１の後方の左側上部の照度が、本体１１の後方の右側上部の照度より高い場合、LEDアレイ制御部３３は、LEDアレイ部３１ａの各LED３２ａのうち、視聴者からみて右側のLED３２ａの照度を上げる。あるいは、LEDアレイ制御部３３は、LEDアレイ部３１ａの各LED３２ａのうち、視聴者からみて左側のLED３２ａの照度を下げる。これにより、本体１１の後方の上方向の照度を均一にすることができる。
【００４８】
また、各方向における、所定の複数の領域において、第１の実施の形態と同様に、最高輝度と照度との差分が所定の範囲内、あるいは、値となるように制御し、本体１１の周囲の照度分布を略一様に、あるいは、一様にすることができる。
【００４９】
以上のように、テレビジョン装置１ａは、LEDアレイ部３１ａ〜３１ｄを設けることにより、本体１１の周囲の照度が均一になるように、複数のLED３２ａ、３２ｂ、３２ｃ及び３２ｄのそれぞれの照度をリアルタイムに制御するので、本体１１の周囲の照度をより均一にすることができる。
【００５０】
よって、本実施の形態のテレビジョン装置１ａによれば、第１の実施の形態のテレビジョン装置１より、目にかかる負担をより軽減し、目の健康に与える悪い影響をより低減することができる。
【００５１】
（第３の実施の形態）
次に、第３の実施の形態について説明する。本実施の形態では、上述した第１及び第２の実施の形態の光センサ１７ａ〜１７ｄを使用せずに、リモコンにより本体１１の周囲の照度、ここでは、本体１１の後方の上下左右方向の照度を計測するようにしている。本実施の形態で説明するリモコンは、上述した第１の実施の形態のテレビジョン装置１に適用するものとして説明するが、第２の実施の形態のテレビジョン装置１ａにも適用可能である。図５は、テレビジョン装置に適用されるリモコンの構成を説明するための説明図である。
【００５２】
リモコン４１は、電源キー４２と、モード切換キー４３と、数字キー４４と、チャンネルキー４５と、音量キー４６と、照度調節キー４７と、赤外線送信部４８と、光センサ４９とを有して構成されている。
【００５３】
電源キー４２は、テレビジョン装置１の電源をオン又はオフするためのキーである。モード切換キー４３は、テレビジョン装置１の発光部１８ａ〜１８ｄを用いた照度の調節を行うか否かを切り換えるためのキーである。即ち、このモード切換キー４３は、モード切換ボタン１５ｆと同様の働きをする。そのため、ユーザは、モード切換キー４３を操作することにより、モード切換ボタン１５ｆを操作するのと同様の効果を得られる。
【００５４】
数字キー４４は、１〜１２の数字が割り当てられたキーにより構成され、例えば、チャンネル変更等に使用されるキーである。チャンネルキー４５は、チャンネルをアップ又はダウンさせるためのキーであり、音量キー４６は、音量を増大又は減少させるためのキーである。
【００５５】
照度調節キー４７は、テレビジョン装置１の発光部１８ａ〜１８ｄのそれぞれの光の量を、手動で調整するためのキーである。即ち、この照度調節キー４７は、テレビジョン装置１の照度調節ボタン１６と同様の働きをする。そのため、ユーザは、照度調節キー４７を操作することにより、照度調節ボタン１６を操作するのと同様の効果を得られる。
【００５６】
ユーザによって、上述した各種操作キーが操作されると、その操作の情報は、赤外線送信部４８からリモコン信号として、リモコン信号受信部１４に送信される。これにより、テレビジョン装置１は、リモコン信号を受信し、対応した処理を実行する。
【００５７】
また、ユーザがリモコン４１の各種操作キーを操作するときに、即ち、赤外線送信部４８及び光センサ４９が本体１１の方向に向いているときに、光センサ４９は、本体１１の周囲の照度、ここでは、本体１１の後方の上下左右方向の照度を計測する。このリモコン４１は、図示しないCCDセンサ等のイメージセンサを搭載し、表示部１３の輝度あるいは最高輝度、及び、表示部１３の周囲の照度あるいは照度分布を画像処理により算出する。これにより、表示部１３の周囲の照度あるいは照度分布のみをテレビジョン装置１に送信することが可能となる。光センサ４９により計測された照度の情報は、リモコン信号として、リモコン信号受信部１４に送信される。
【００５８】
リモコン信号受信部１４において受信された照度の情報が、制御部２１及び差分回路２３に供給されることにより、第１の実施の形態と同様に、発光部１８ａ〜１８ｄの照度の調整が行われる。
【００５９】
以上のように、リモコン４１は、光センサ４９を設け、リモコン４１の光センサ４９により本体１１の周囲の照度を計測することにより、より視聴者の視点に近いポイントの照度がリアルタイムに計測できるので、目にかかる負担をより軽減し、目の健康に与える悪い影響をより低減することができる。
【００６０】
また、例えば、リモコン４１の各種操作キーに対応する構成を、テレビジョン装置１から取り除くことができる。即ち、テレビジョン装置１から操作ボタン１５、照度調節ボタン１６及び光センサ１７ａ〜１７ｄを取り除き、テレビジョン装置１の構成を簡潔にすることができるという効果を得ることができる。
【００６１】
なお、本明細書におけるフローチャート中の各ステップは、その性質に反しない限り、実行順序を変更し、複数同時に実行し、あるいは実行毎に異なった順序で実行してもよい。
【００６２】
本発明は、上述した実施の形態に限定されるものではなく、本発明の要旨を変えない範囲において、種々の変更、改変等が可能である。
【符号の説明】
【００６３】
１，１ａ…テレビジョン装置、１１…本体、１２…支持台、１３…表示部、１４…リモコン信号受信部、１５…操作ボタン、１６…照度調節ボタン、１７ａ〜１７ｄ，１７ａ１〜１７ｄ１…光センサ、１８ａ〜１８ｄ…発光部、２１…制御部、２２…輝度検出部、２３…差分回路、３１ａ〜３１ｄ…LEDアレイ部、３２ａ〜３２ｄ…LED、３３…LEDアレイ制御部、４１…リモコン、４２…電源キー、４３…モード切換キー、４４…数字キー、４５…チャンネルキー、４６…音量キー、４７…照度調節キー、４８…赤外線送信部、４９…光センサ。
【図１Ａ】
2010177179.tif 000003
【図１Ｂ】
2010177179.tif 000004
【図１Ｃ】
2010177179.tif 000005
【図２】
2010177179.tif 000006
【図３】
2010177179.tif 000007
【図４Ａ】
2010177179.tif 000008
【図４Ｂ】
2010177179.tif 000009
【図４Ｃ】
2010177179.tif 000010
【図５】
2010177179.tif 000011